(57)【要約】【課題】  本発明は、コネクタ、レセプタクルコネクタ、およびプラグコネクタの構造に関するものである。【解決手段】  本発明のコネクタは、プラグコネクタをレセプタクルコネクタの上方から挿入し嵌合するコネクタであり、プラグコネクタは、プラグハウジングとプラグハウジングの両側壁から外側に突き出した嵌合部とを有し、レセプタクルコネクタはレセプタクルハウジングと、レセプタクルハウジングの両側壁の下部から露出した固定部と、上部がレセプタクルハウジングの内側に突き出し、レセプタクルハウジングの床面から所定高さの位置に側壁に沿って水平に所定長さ延びた梁状のビーム部を備えた固定金具とを有し、プラグコネクタとレセプタクルコネクタとの嵌合状態において嵌合部がビーム部と嵌合してなる、よう構成する。【選択図】    図１
2012003874.tif 000002
【特許請求の範囲】
【請求項１】
プラグコネクタをレセプタクルコネクタの上方から挿入し嵌合するコネクタであって、
前記プラグコネクタは、
プラグハウジングと、
前記プラグハウジングの両側壁から外側に突き出した嵌合部とを有し、
前記レセプタクルコネクタは、
レセプタクルハウジングと、
前記レセプタクルハウジングの両側壁の下部から露出した固定部と、上部が該レセプタクルハウジングの内側に突き出し、該レセプタクルハウジングの床面から所定高さの位置に該側壁に沿って水平に所定長さ延びた梁状のビーム部を備えた固定金具とを有し、
前記プラグコネクタと前記レセプタクルコネクタとの嵌合状態において、前記嵌合部が前記ビーム部と嵌合してなる
ことを特徴とするコネクタ。
【請求項２】
前記プラグコネクタのプラグハウジングは、上面に該プラグコネクタ抜去用の凹部、または凸部を形成、またはテープ部材を配設した
ことを特徴とする請求項１に記載のコネクタ。
【請求項３】
前記固定金具は、前記レセプタクルハウジングにインサート成型、または圧入された
ことを特徴とする請求項１または請求項２に記載のコネクタ。
【請求項４】
プラグハウジングと、該プラグハウジングの両側壁から外側に突き出した嵌合部とを備えたプラグコネクタが上方から挿入されて嵌合するレセプタクルコネクタであって、
レセプタクルハウジングと、
前記レセプタクルハウジングの両側壁の下部から露出した固定部と、上部が該レセプタクルハウジングの内側に突き出し、該レセプタクルハウジングの床面から所定高さの位置に該側壁に沿って水平に所定長さ延びた梁状のビーム部を備えた固定金具とを有し、
前記プラグコネクタとの嵌合状態において、前記嵌合部が前記ビーム部と嵌合してなる
ことを特徴とするレセプタクルコネクタ。
【請求項５】
レセプタクルハウジングと、該レセプタクルハウジングの両側壁の下部から露出した固定部と、上部が該レセプタクルハウジングの内側に突き出し、該レセプタクルハウジングの床面から所定高さの位置に該側壁に沿って水平に所定長さ延びた梁状のビーム部を備えた固定金具とを有するレセプタクルコネクタに上方から挿入して嵌合するプラグコネクタであって、
プラグハウジングと、
前記プラグハウジングの両側壁から外側に突き出した嵌合部とを有し、
前記レセプタクルコネクタとの嵌合状態において、前記嵌合部が前記ビーム部と嵌合してなる
ことを特徴とするプラグコネクタ。
【発明の詳細な説明】
【技術分野】
【０００１】
本発明は、コネクタ、レセプタクルコネクタ、およびプラグコネクタの構造に関するものである。
【背景技術】
【０００２】
ライトアングルタイプのコネクタは、モバイル機器等における低背化の要求を満足するコンポーネントとして広く用いられている。一般的にコネクタは、プリント基板に固定されるレセプタクルコネクタと、このレセプタクルコネクタに挿入されるプラグコネクタとからなるが、プラグコネクタのレセプタクルコネクタに挿抜する方向によってライトアングルタイプのコネクタは更に２種類のタイプに分けることができる。一つはプラグコネクタを水平方向に挿抜する水平挿抜タイプであり、他はプラグコネクタを垂直方向に挿抜する垂直挿抜タイプ（厳密に垂直でなく、上方向からの挿抜も垂直挿抜タイプに含む）である。プリント基板上に固定されたレセプタクルコネクタにプラグコネクタを挿抜するときの作業性の点から、垂直挿抜タイプの方が有利と考えられる。なぜなら、プラグコネクタは通常においてケーブル接続した状態でアセンブリの作業が行なわれ、水平挿抜タイプではプラグコネクタに接続するケーブルが水平方向に引き出され、挿抜時にケーブルをプリント基板上に搭載している他の部品に触れないように注意して作業する必要がある。垂直挿抜タイプでは、その心配がない。
【０００３】
垂直挿抜タイプのコネクタの構造例を、図７を用いて説明する。図７（ａ）は、レセプタクルコネクタ１０とプラグコネクタ２０の斜視図を示し、レセプタクルコネクタ１０はレセプタクルハウジング１１の奥内（左方を前方とする）にレセプタクルコンタクト１３を備え、両側壁の前方位置にプリント基板に固定する固定金具１４を備えている。また、両側壁の上部にはプラグコネクタ２０の抜け防止のためのツメ１２を備えている。
【０００４】
プラグコネクタ２０は、プラグハウジング２１内に図示しないプラグコンタクトを備え、それらはケーブル２３と接続している。プラグハウジング２１の両側壁の上部には、レセプタクルハウジング１１に設けたツメ１２と嵌合するツメ受け部２２を設けている。
【０００５】
図７（ｂ）は、プラグコネクタ２０をレセプタクルコネクタ１０の上方から挿入した状態を示し、この状態でレセプタクルコンタクト１３に図示しないプラグコンタクトが嵌合し電気的接続がなされる。また、レセプタクルハウジング１１のツメ１２が、プラグコネクタ２０の突起部と嵌合し、上方への抜けを防止している。
【０００６】
図７（ｃ）は、図７（ｂ）の側面から見た図を示し、レセプタクルハウジング１１から突出した固定金具１４はプリント基板３０に半田により固定され、またレセプタクルハウジング１１の後ろ壁から突き出したレセプタクルコンタクト１３はプリント基板３０の配線パターンと半田により接続している。
【０００７】
プラグコネクタのレセプタクルコネクタからの抜け防止のために、レセプタクルハウジングの内側の側壁に水平に設けた固定フックの下面に、プラグハウジングの両側外壁に水平に設けた固定フランジを嵌合させ、プラグコネクタをレセプタクルコネクタに対して上方向に対して固定する構造が知られている。
【先行技術文献】
【特許文献】
【０００８】
【特許文献１】特開平０９−２５９９９２号公報
【発明の概要】
【発明が解決しようとする課題】
【０００９】
上記したように、プリント基板に搭載するライトアングルの垂直挿入タイプのコネクタは、低背化が可能であり作業性に優れていることから広く用いられている。そして、これらのコネクタは、プラグハウジングの外壁とレセプタクルハウジングの内壁とにツメとその受け部を設け、それぞれが嵌合することにより上方に力が働いてもプラグコネクタが抜けることのないようなロック構造を設けることが行なわれている。
【００１０】
プリント基板上に搭載したコネクタは、一般的に製品組立完成後にコネクタが外されるケースは少ないが、製品組立前に各種の試験を行なうためにコネクタの挿抜が行なわれる場合もある。このような場合に、上記のようなロック構造が両ハウジングのモールド材であった場合に挿抜によりロック用のツメ、あるいはその受け部が削れロックが緩くなって抜け易くなる、という場合があった。
【００１１】
コネクタの外形寸法が小さくなってくると（例えば、４．５×４．５×１．５ｍｍ）、プラグコネクタのハウジングを持ってレセプタクルコネクタから外すことは困難となり、ケーブルを持ち上げてプラグコネクタを外すことが行なわれる。そのような場合のツメやツメの受け部の損傷（削れ）は著しく、損傷の経歴を持ったコネクタの接続信頼性は低くなり、製品出荷後にルーズコンタクトとなり障害発生の原因となる場合があった。
【００１２】
本発明は、上記の問題を解決するためになされたもので、プラグコネクタに上方向の力が働いても強固にロックができ、プラグコネクタの抜け防止が図れるコネクタを提供することを目的とする。
【課題を解決するための手段】
【００１３】
発明の一観点によれば、本発明のコネクタはプラグコネクタをレセプタクルコネクタの上方から挿入し嵌合するコネクタであり、プラグコネクタは、プラグハウジングとプラグハウジングの両側壁から外側に突き出した嵌合部とを有し、レセプタクルコネクタはレセプタクルハウジングと、レセプタクルハウジングの両側壁の下部から露出した固定部と、上部がレセプタクルハウジングの内側に突き出し、レセプタクルハウジングの床面から所定高さの位置に側壁に沿って水平に所定長さ延びた梁状のビーム部を備えた固定金具とを有し、プラグコネクタとレセプタクルコネクタとの嵌合状態において嵌合部がビーム部と嵌合してなるコネクタが提供される。
【００１４】
発明の別の一観点によれば、本発明のレセプタクルコネクタは、プラグハウジングと、プラグハウジングの両側壁から外側に突き出した嵌合部とを備えたプラグコネクタが上方から挿入されて嵌合するレセプタクルコネクタであり、レセプタクルハウジングと、レセプタクルハウジングの両側壁の下部から露出した固定部と、上部がレセプタクルハウジングの内側に突き出し、レセプタクルハウジングの床面から所定高さの位置に側壁に沿って水平に所定長さ延びた梁状のビーム部を備えた固定金具とを有し、プラグコネクタとの嵌合状態において嵌合部がビーム部と嵌合してなるレセプタクルコネクタが提供される。
【００１５】
また、発明の別の一観点によれば、本発明のプラグコネクタは、レセプタクルハウジングと、レセプタクルハウジングの両側壁の下部から露出した固定部と、上部がレセプタクルハウジングの内側に突き出し、レセプタクルハウジングの床面から所定高さの位置に側壁に沿って水平に所定長さ延びた梁状のビーム部を備えた固定金具とを有するレセプタクルコネクタに上方から挿入して嵌合するプラグコネクタであり、プラグハウジングと、プラグハウジングの両側壁から外側に突き出した嵌合部とを有し、レセプタクルコネクタとの嵌合状態において嵌合部がビーム部と嵌合してなるプラグコネクタが提供される。
【発明の効果】
【００１６】
プラグハウジングをプリント基板に固定される固定金具に直接嵌合するようにしたので、強固なロックが可能となり、プラグコネクタのレセプタクルコネクタからの抜け防止が図れる。
【図面の簡単な説明】
【００１７】
【図１】本発明のコネクタ（実施例１）である。
【図２】実施例１のコネクタの背面から見た斜視図である。
【図３】実施例１のプラグコネクタの挿入方法である。
【図４】実施例１のプラグコネクタの引き抜き方法である。
【図５】本発明のコネクタ（実施例２）である。
【図６】実施例２のコネクタの挿入方法である。
【図７】垂直挿抜タイプのコネクタの構造例である。
【発明を実施するための形態】
【００１８】
（実施例１）
本発明のコネクタの実施例１を図１から図４を用いて説明する。なお、本発明のコネクタのレセプタクルコンタクトはライトアングルタイプであり、プラグコネクタはレセプタクルに上方から挿入し嵌合する垂直挿抜タイプである。また、プリント基板への搭載は表面実装を行なうものである。
【００１９】
図１は、本発明のコネクタの構造例を示し、先に説明した図７に合わせて描いたものである。コネクタ構造は図１を主に説明を行なうが、部分的に図２を用いて説明することとする（図２は、図１に示すコネクタを背面から見た図である）。
【００２０】
図１（ａ）はレセプタクルコネクタ１００とプラグコネクタ２００の斜視図を示し、右側の図はレセプタクルハウジング１１０を透視したレセプタクルコネクタ１００を示している。
【００２１】
図１（ａ）に示すように、レセプタクルコネクタ１００はレセプタクルハウジング１１０、レセプタクルコンタクト１３０、および固定金具１４０とで構成している。レセプタクルハウジング１１０は、上方と前方が開口した箱型形状を成し、床面１１１の３辺から側壁が立設している。レセプタクルハウジング１１０の上方の開口はプラグコネクタ２００の挿抜を行なうための開口であり、前方の開口はプラグコネクタ２００が挿入されたときプラグコネクタ２００に接続するケーブ２４０を引き出すための開口である。
【００２２】
レセプタクルコンタクト１３０はレセプタクルハウジング１１０の奥内に植設され、上方から挿入されたプラグコネクタ２００内のプラグコンタクト（図示せず）と電気的に接続する。レセプタクルコンタクト１３０の下部はレセプタクルハウジング１１０の背面の側壁１１３から外側に突き出し、プリント基板３０の配線パターンと半田接合される。図２にレセプタクルハウジング１１０の背面の側壁１１３から突き出したレセプタクルコンタクト１３０を示す。図１（ａ）では、２個のレセプタクルコンタクト１３０を例示しているが、これに限定されるものではなく、より多くの個数のレセプタクルコンタクト１３０が植設されてよい。
【００２３】
固定金具１４０は、図１（ａ）の右の拡大図に示すように逆Ｚ字の形状を成し、レセプタクルハウジング１１０の前方の両側壁１１２にインサート成型されている。固定金具１４０の下部は、ボディ部１４１から延出した固定部１４２を有し、レセプタクルハウジング１１０から前方に突き出している。固定部１４２は、半田によりプリント基板３０に固定される。また、固定金具１４０の上部はレセプタクルハウジング１１０の内側に突き出し、側壁１１２に水平に沿ったビーム部１４３を形成している。ビーム部１４３は、プラグコネクタ２００の上方向に対するロックの役割を担う（詳細は後述する）。図２に、ビーム部１４３がレセプタクルハウジング１１０の内側に突き出し側壁１１２に水平に沿った状態を示している。
【００２４】
なお、ここでは固定金具１４０はレセプタクルハウジング１１０にインサート成型しているが、側壁１１２内に垂直にスリットを形成しておき、そのスリットに固定金具１４０を圧入するようにしてもよい。また、固定部１４２はレセプタクルハウジング１１０の前面から突き出しているが、レセプタクルハウジング１１０の前面、あるいは底面に突き出さずに露出させ、その露出した面とプリント基板３０とを半田接合するようにしてもよい。
【００２５】
プラグコネクタ２００は、プラグハウジング２１０とケーブル２４０、およびプラグコンタクト（図示せず）とで構成している。ケーブル２４０の一方はプラグコンタクトと接続し、他方はプラグハウジング２１０の前方から引き出され、例えば回路モジュール等に接続している。
【００２６】
プラグハウジング２１０の側面２１１には、側面２１１から突き出した凸部を形成し、その凸部の下部において前方に延出する嵌合部２２０を形成している。この嵌合部２２０は、固定金具１４０とレセプタクルハウジング１１０の床面１１１との間に挿入される部分で、本発明の特徴を成す部分である（詳細は後述する）。
【００２７】
プラグハウジング２１０の上面２１２にはレセプタクルコネクタ１００に嵌合したプラグコネクタ２００の引き抜き用のツメ部２３０を形成している。また、プラグコネクタ２００の背面２１３から下面にかける面は円弧状に形成され（図２参照）、その面にスリット２１４を形成している。円弧状の面とすることにより、プラグコネクタ２００のレセプタクルコネクタ１００への挿入、および引き抜き時にプラグコネクタ２００の背面下部がレセプタクルハウジング１００の側壁１１３に当たり、引っかかることがないようにしている。また、スリット２１４は、プラグコネクタ２００をレセプタクルコネクタ１００に挿入したとき、レセプタクルコンタクト１３０をプラグハウジング２１０内に導き入れ、図示しないプラグコンタクトとレセプタクルコンタクト１３０とを嵌合させるためのものである。
【００２８】
プラグコネクタ２００をレセプタクルコネクタ１００に挿入した状態は、図１（ｂ）および図１（ｃ）に示される（レセプタクルハウジング１１０は透視して描いている）。両図に示されるように、プラグコネクタ２００の嵌合部２２０は、固定金具１４０のビーム部１４３の下面とプラグハウジング１１０の床面１１１との間に挿嵌されている。このため、嵌合状態におけるプラグコネクタ２００に上方向の力が働いても、ビーム部１４３によりロックされることになる。
【００２９】
また、プラグコネクタ２００とレセプタクルコネクタ１００との嵌合状態において、プラグコネクタ２００の背面２１３とレセプタクルハウジング１１０内の奥側の側壁１１３との間隙はなく、一方嵌合部２２０の前方の側面は固定金具のボディ部１４１の側面に突き当たっているため、プラグコネクタ２００の水平方向に対する動きも制限されている。
【００３０】
次に、本発明のプラグコネクタ２００をレセプタクルコネクタ１００に嵌合する方法、およびプラグコネクタ２００をレセプタクルコネクタ１００から引き抜く方法について図３と図４を用いて説明する。なお、図３と図４において、レセプタクルコネクタ１００は、プラグコネクタ２００との嵌合、あるいは離脱の状態が判るように、レセプタクルハウジング１１０を透視した状態で描いている。
【００３１】
最初に、プラグコネクタ２００をレセプタクルコネクタ１００に嵌合する方法について説明する。まず、図３（ａ）に示すように、プリント基板３０に搭載されているレセプタクルコネクタ１００の上方にプラグコネクタ２００を持ってくる。このとき、プラグコネクタ２００に接続しているケーブル２４０の引き出し方向をレセプタクルコネクタ１００の前方（図３（ａ）の左方向）に合わせる。
【００３２】
レセプタクルコネクタ１００の上方で、プラグコネクタ２００を前方（ケーブル２４０のある側）を下に傾け、プラグコネクタ２００の嵌合部２２０を固定金具１４０のビーム部１４３の下とレセプタクルハウジング１１０の床面１１１との間に斜めに挿入する（図３（ｂ））。
【００３３】
続いて、プラグコネクタ２００の後方の上面２１２を下方に押し、レセプタクルハウジング１１０の奥側の側壁１１３内に押し込む。このプラグコネクタ２００の押し込みにより、レセプタクルハウジング１１０内のレセプタクルコンタクト１３０はプラグハウジング２１０のスリット２１４からプラグハウジング２１０内に入り、プラグコンタクト（図示せず）と嵌合する。プラグコネクタ２００をレセプタクルハウジング１１０内に水平になる迄押し込んだところでコネクタ間（プラグコネクタ２００とレセプタクルコネクタ１００）の嵌合は終了する。
【００３４】
次に、レセプタクルコネクタ１００に嵌合されたプラグコネクタ２００を引き抜く方法を説明する。図４（ａ）は、プラグコネクタ２００がレセプタクルコネクタ１００に嵌合された状態にあり、プラグコネクタ２００の上面２１２に形成したツメ部２３０に引き抜き工具２５０の先端を当てた状態を示している。引き抜き工具２５０は先端が薄く、ツメ部２３０の凹部に入る幅を持った板状の工具である。
【００３５】
図４（ａ）の状態から、引き抜き工具２５０をツメ部２３０に引っ掛け上方に押し上げる。これにより、プラグハウジング２１０の背面２１３はレセプタクルハウジング１１０の内側の側壁１１３に沿って引き上がる（図４（ｂ））。
【００３６】
プラグハウジング２１０の背面２１３がレセプタクルハウジング１１０から所定の高さまで（例えば、プラグハウジング２１０の高さの２／３位まで）引き上げた段階で、引き抜き工具２５０を右上方に押すことで、嵌合部２２０は固定金具１４０から離脱する（図４（ｃ））。
【００３７】
嵌合部２２０が固定金具１４０から離脱したことを確認してプラグハウジング２１０を上方に持ち上げ、引き抜きを終了する（図４（ｄ））。
【００３８】
実施例１に示したレセプタクルハウジング１１０、およびプラグハウジング２１０の材質は例えばＬＣＰ（Liquid Crystal Polymer）で、固定金具１４０の材質は例えばＳＵＳ（Stainless Used Steel）や銅合金である。また、レセプタクルコネクタ１００の外形寸法は４．５（Ｗ）×４．５（Ｄ）×１．５（Ｈ）ｍｍである。
（実施例２）
実施例１では、プラグハウジング１１０の両側面２１１に嵌合部２２０を設け、その嵌合部２２０を固定金具１４０とレセプタクルハウジング１１０の床面１１１との間に挿入するものであった。実施例２では、プラグハウジングの両側面に２つの嵌合部（第１嵌合部と第２嵌合部）を設け、第１嵌合部は固定金具とレセプタクルハウジングの床面との間に、第２嵌合部はレセプタクルハウジングの嵌合受け部と床面との間に挿入するものである。本発明の実施例２のコネクタを図５から図７を用いて説明する。
【００３９】
図５は、実施例２のコネクタの構造例を示した図で、図５（ａ）はレセプタクルコネクタ３００とプラグコネクタ４００の斜視図を示し、右側の図はレセプタクルハウジング３１０を透視したレセプタクルコネクタ３００を示している。
【００４０】
レセプタクルコネクタ３００はレセプタクルハウジング３１０、レセプタクルコンタクト３３０、および固定金具３４０とで構成している。レセプタクルハウジング３１０は、実施例１と同様に上方と前方が開口した箱型形状を成し、床面３１１の３辺から側壁が立設している。レセプタクルハウジング３１０の側壁３１２の内側奥に、床面３１１から所定高さの位置に内側に突き出し水平方向に延びる嵌合受け部３１４を形成している。
【００４１】
レセプタクコンタクト３３０は、レセプタクルハウジング３１０の奥内床面３１１に植設され、実施例１と同様にレセプタクルコンタクト３３０の下部がレセプタクルハウジング３１０の背面の側壁３１３から外側に突き出し、プリント基板３０の配線パターンと半田接合される。
【００４２】
固定金具３４０は、側面から見た形状が「コ」の字の形状を成し、レセプタクルハウジング３１０の前方の側壁３１２と床面３１１を成す部分にインサート成型されている。固定金具３４０の下部はＬ字形に曲がり、レセプタクルハウジング３１０の側壁３１２から外側に突き出している。この突き出した部分はプリント基板３０に半田接合により固定される固定部３４２である。固定金具３４０の固定部３４２から上の部分はレセプタクルハウジング３１０の内側に突き出し、側壁３１２に沿って固定部３４２から垂直に伸びる支柱部３４１と水平に伸びるビーム部３４３とを形成している。ビーム部３４３の先端の下面は下方に突き出した水平ロック部３４４を形成している。
【００４３】
プラグコネクタ４００は、プラグハウジング４１０とケーブル４４０、およびプラグコンタクト（図示せず）とで構成し、実施例１と同様にケーブル４４０の一方はプラグコンタクトとプラグハウジング４１０の中で接続し、他方はプラグハウジング４１０の前方から引き出され、例えば図示しない回路モジュールと接続している。
【００４４】
プラグハウジング４１０の側面４１１には、側面４１１から突き出した第１嵌合部４２０と第２嵌合部４３０とを形成している。第１嵌合部４２０と第２嵌合部４３０はプラグハウジング４１０の上面から所定の長さ低い位置に形成され、それらの底面はプラグハウジング４１０の底面に連なっている。また、第１嵌合部４２０を側面から見たとき、第１嵌合部４２０の上辺に当たる部分に凸部を形成し、水平ロック受け部４２１を設けている。なお、第１嵌合部４２０と第２嵌合部４３０は２つの側面４１１にそれぞれ形成されている。
【００４５】
プラグハウジング４１０の上面４１２にはレセプタクルコネクタ３００に嵌合したプラグコネクタ４００の引き抜き用のテープ４５０を配置している。また、プラグコネクタ４００の背面と下面に、実施例１と同様の図示しないスリットを形成している。
【００４６】
プラグコネクタ４００をレセプタクルコネクタ３００に挿入した状態は、図５（ｂ）および図５（ｃ）に示される（レセプタクルハウジング３１０は透視して描いている）。両図で示されるように、プラグコネクタ４００の第１嵌合部４２０は、固定金具３４０のビーム部３４３の下面とレセプタクルウジング３１０の床面３１１との間に挿嵌される。また、第２嵌合部４３０は、レセプタクルハウジング３１０の嵌合受け部３１４の下面と床面３１１との間に挿嵌される。このため、嵌合状態におけるプラグコネクタ４００に上方向の力が働いても、第１嵌合部４２０と第２嵌合部４３０とによりロックされることになる。また、固定金具３４０の水平ロック部３４４と支柱部３４１との間に第１嵌合部４２０の水平ロック受け部４２１が入り、水平方向に対する動きを制限している。
【００４７】
次に、本発明のプラグコネクタ４００をレセプタクルコネクタ３００に嵌合する方法について図６を用いて説明する。なお、図６において、レセプタクルコネクタ３００は、プラグコネクタ４００との嵌合、あるいは離脱の状態が判るように、レセプタクルハウジング４１０を透視した状態で描いている。
【００４８】
まず、プラグコネクタ４００は、レセプタクルコネクタ３００の上方でケーブル４４０引き出し面をレセプタクルコネクタ３００の前方（図６（ａ）で左方））になるように合わせ、プラグコネクタ４００の第２嵌合部４３０がレセプタクルハウジング３１０の固定金具３４０と嵌合受け部３１４との間の間隙の真上になるように合わせる。この状態から、プラグコネクタ４００の底面がレセプタクルハウジング３１０の床面３１１に当たるまで下方に降す（図６（ａ））。
【００４９】
次に、プラグコネクタ４００をレセプタクルハウジング３１０の奥行き方向（図６（ｂ）の右方向）にスライドする。このスライドにより、第１嵌合部４２０は固定金具３４０のビーム部３４３とレセプタクルハウジング３１０の床面３１１の間に進入し、第２嵌合部４３０はレセプタクルハウジング３１０の嵌合受け部３１４と床面３１１の間に進入する。このスライドは、第１嵌合部４２０が固定金具３４０の支柱部３４１に突き当たったところで停止し、プラグコネクタ４００のレセプタクルコネクタ３００への挿入は終了する（図６（ｃ））。
【００５０】
挿入が終了した時点で、第１嵌合部４２０の水平ロック受け部４２１は固定金具３４０の水平ロック部３４４と支柱部３４１との間に収まる。この状態で、プラグコネクタ４００の水平方向の動きは制限される。また、プラグコネクタ４００の上方への動きは第１嵌合部４２０が固定金具３４０のビーム部３４３により、第２嵌合部４３０がレセプタクルハウジング３１０の嵌合受け部３１４により制限される。
【００５１】
プラグコネクタ４００をレセプタクルコネクタ３００から引き抜くときは、図６と逆の操作を行なう。即ち、プラグコネクタ４００を左方にスライドし、上方に持ち上げ引き抜く。このとき、例えばピンセット等の工具を使って引き抜き用のテープ４５０を挟持し、プラグコネクタ４００を引き抜く。
【符号の説明】
【００５２】
１０    レセプタクルコネクタ
１１    レセプタクルハウジング
１２    ツメ
１３    レセプタクルコンタクト
１４    固定金具
２０    プラグコネクタ
２１    プラグハウジング
２２    ツメ受け部
２３    ケーブル
３０    プリント基板
１００  レセプタクルコネクタ
１１０  レセプタクルハウジング
１１１  床面
１１２  側壁
１１３  側壁
１３０  レセプタクルコンタクト
１４０  固定金具
１４１  ボディ部
１４２  固定部
１４３  ビーム部
２００  プラグコネクタ
２１０  プラグハウジング
２１１  側面
２１２  上面
２１３  背面
２１４  スリット
２２０  嵌合部
２３０  ツメ部
２４０  ケーブル
２５０  引き抜き工具
３００  レセプタクルコネクタ
３１０  レセプタクルハウジング
３１１  床面
３１２  側壁
３１３  側壁
３１４  嵌合受け部
３３０  レセプタクルコンタクト
３４０  固定金具
３４１  支柱部
３４２  固定部
３４３  ビーム部
３４４  水平ロック部
４００  プラグコネクタ
４１０  プラグハウジング
４１１  側面
４１２  上面
４２０  第１嵌合部
４２１  水平ロック受け部
４３０  第２嵌合部
４４０  ケーブル
４５０  テープ
【図１】
2012003874.tif 000003
【図２】
2012003874.tif 000004
【図３】
2012003874.tif 000005
【図４】
2012003874.tif 000006
【図５】
2012003874.tif 000007
【図６】
2012003874.tif 000008
【図７】
2012003874.tif 000009